(57)【要約】  【課題】  個別住民の要求で個別受信機のスピーカの音量を調節するとか、また、屋外では病院の近くあるいは環境の静かな住宅地と、騒音の大きい場所では、拡声器の音量を調節できる無線通信システムの実現が望まれている。  【解決手段】  親局装置が複数の子局装置に対して通報情報を無線送信し、これを受信した上記子局装置が上記親局装置から受信した通報情報を受令して出力する無線通信システムにおいて、上記子局装置は、鳴動部と記憶部を有し、上記記憶部に複数の音量または音質を指定したテーブルを記憶し、上記親局装置からの指示情報に基づき上記記憶部に記憶されたテーブルの１つを選択し、上記選択された音量または音質に基づいて上記鳴動部を鳴動させるように構成される。【選択図】  図１
2006157488.tif 000002
【特許請求の範囲】
【請求項１】
親局装置が複数の子局装置に対して通報情報を無線送信し、これを受信した上記子局装置が上記親局装置から受信した通報情報を受令して出力する無線通信システムにおいて、上記子局装置は、鳴動部と記憶部を有し、上記記憶部に複数の音量または音質を指定したテーブルを記憶し、上記親局装置からの指示情報に基づき上記記憶部に記憶されたテーブルの１つを選択し、上記選択された音量または音質に基づいて上記鳴動部を鳴動させることを特徴とする無線通信システム。
【請求項２】
請求項１記載の無線通信システムにおいて、上記親局装置は、上記複数の子局装置の内の少なくとも１つの子局装置を選択すると共に、上記選択された子局装置の記憶部に記憶されているテーブルの音量または音質を変更する指示情報を送信することを特徴とする無線通信システム。
【請求項３】
親局装置と、少なくとの１つの子局装置を有し、上記親局装置から上記子局装置に対して通報情報を無線送信し、これを受信した上記子局装置が上記親局装置から受信した通報情報を受令して出力する無線通信システムにおいて、上記子局装置は、複数の拡声装置および上記複数の拡声装置の音量を制御する制御部とを具え、上記親局装置は、制御部と、上記複数の拡声装置の少なくとも１つを選択する手段および上記選択された拡声装置の音量または音質を設定する手段とを具え、上記親局装置からの指示情報に基づいて上記子局装置の選択された拡声装置の音量または音質を設定することを特徴とする無線通信システム。
【発明の詳細な説明】
【技術分野】
【０００１】
本発明は、無線通信システムに関し、特に、子局装置で使用される拡声器の出力を親局装置から制御できる無線通信システムに関するものである。
【背景技術】
【０００２】
県防災無線システムや市町村デジタル同報通信システム等の防災行政無線システムなどの同報無線システムでは、親局装置から子局装置へ音声の一斉指令を発し、子局装置が当該音声を録音することや再生することが行われている（例えば、非特許文献１参照。）。そこで、同報無線システムに備えられる子局装置である受信機に電話機を用いている場合について説明する。
【０００３】
同報無線システムの電話受信機では、自機宛ての同報通信を受信すると、自機のスピーカが受令した場合に鳴動し、電話受信機の受話器を操作者が取ることにより、通報の内容である通報情報を音声出力し、操作者はこれを聴話している。また、通報情報の録音をするか否かの判断が操作者の操作により行われ、一例として、同報通信の種別が緊急一括通報或いは個別通報である場合には録音するようスイッチ等を操作するものである。また、上述の電話受信機を戸別受信機（または、子局装置とも言う。）として同報無線システムを構築している場合もある。このような場合、子局装置の音量は、通報電文に組み込んである音量情報を子局装置のスピーカの増幅器で検出し、所定の音量に設定することにより制御する仕組みである。従って、同一の通報電文で子局装置の音量調節が動作するため、子局装置毎に通報の音量を変えることはできなかった。
【０００４】
また、市町村防災無線システムでは、親局装置（または、統制局とも言う。）からの電波を子局装置で受信し、子局装置の音声増幅部で音声増幅し、子局装置のスピーカ、例えば、トランペットスピーカで拡声し、付近住民に緊急等の放送内容を知らせるシステムがある。
【０００５】
而して、上述した個別受信機による方式でも各家庭からの要望や事情で、各家庭毎のスピーカの音量を大きくしたり、小さくしたりと言うように変えてほしいとの要望がある。また、市町村防災無線システムでは、付近住民からの要望によりトランペットスピーカの音量を調節してほしいとの要望もある。例えば、病院の近くあるいは環境の静かな住宅地では、比較的音量を小さく、しかし、騒音の大きいところでは、比較的音量を大きくする等の要望があるが、トランペットスピーカの音量を調節するには、トランペットスピーカの取りつけられているポールに登り、出力設定を変更する必要があり、専門の技術者を要請しなければならない。また、屋外子局の音声増幅部の出力を調整すると、屋外子局に接続されている全てのトランペットスピーカの音量が変化してしまう。また、冬場などでは、部屋の窓を閉め切った状態で音量を下げた場合、放送音声が聞こえない等の問題もある。従って、このような環境や種々の条件に適合する音量調節できる無線通信システムの実現が望まれている。
【０００６】
【非特許文献１】「市町村デジタル同報通信システム  推奨規格（案）」、財団法人電波産業会、平成１５年３月
【発明の開示】
【発明が解決しようとする課題】
【０００７】
従来の市町村防災無線システムにおける個別受信機あるいは屋外の拡声器の音量は、通報情報の重要度に関係なく鳴動状態が同じであった。しかしながら、各家庭の事情で個別受信機のスピーカの音量を調節する必要があったり、また、屋外では病院の近くあるいは環境の静かな住宅地と、騒音の大きい場所では、拡声器の音量を調節できる無線通信システムの実現が望まれている。
【０００８】
本発明の目的は、このような事情に鑑み為されたもので、子局装置が親局装置からの通報情報に応じて、子局装置の鳴動の態様を効果的に制御することができる無線通信システムを提供することである。
【０００９】
本発明の他の目的は、子局装置の音量または音質を子局装置毎に遠隔制御することができる無線通信システムを提供することである。
【００１０】
本発明の更に他の目的は、子局装置の音量または音質の設定値を遠隔制御によって変更できる無線通信システムを提供することである。
【課題を解決するための手段】
【００１１】
本発明は、親局装置が複数の子局装置に対して通報情報を無線送信し、これを受信した上記子局装置が上記親局装置から受信した通報情報を受令して出力する無線通信システムにおいて、上記子局装置は、鳴動部と記憶部を有し、上記記憶部に複数の音量または音質を指定したテーブルを記憶し、上記親局装置からの指示情報に基づき上記記憶部に記憶されたテーブルの１つを選択し、上記選択された音量または音質に基づいて上記鳴動部を鳴動させるように構成される。
【００１２】
また、本発明の無線通信システムにおいて、上記親局装置は、上記複数の子局装置の内の少なくとも１つの子局装置を選択すると共に、上記選択された子局装置の記憶部に記憶されているテーブルの音量または音質を変更する指示情報を送信するように構成される。
【００１３】
また、本発明の無線通信システムにおいて、上記親局装置からの上記指示情報を上記通報情報に付加して伝送するように構成される。
【００１４】
また、本発明は、親局装置と、少なくとの１つの子局装置を有し、上記親局装置から上記子局装置に対して通報情報を無線送信し、これを受信した上記子局装置が上記親局装置から受信した通報情報を受令して出力する無線通信システムにおいて、上記子局装置は、複数の拡声装置および上記複数の拡声装置の音量制御する制御部とを具え、上記親局装置は、制御部と、上記複数の拡声装置の少なくとも１つを選択する手段および上記選択された拡声装置の音量または音質を設定する手段とを具え、上記親局装置からの指示情報に基づいて上記子局装置の選択された拡声装置の音量または音質を設定するように構成される。
【００１５】
また、本発明の無線通信システムにおいて、上記親局装置からの上記指示情報を上記通報情報に付加して伝送するように構成される。
【００１６】
また、本発明の無線通信システムにおいて、上記親局装置の制御部は、記憶部を有し、上記記憶部に上記複数の拡声装置の各々に対応して複数の音量または音質を定めたテーブルを有し、上記テーブルに基づいて上記拡声装置の選択および上記選択された拡声装置の音量または音質の設定のための指示情報を生成するように構成される。
【発明の効果】
【００１７】
上述したように本発明の無線通信システムでは、子局装置の音量または音質は、通報電文に組み込んである音量情報を検出し、子局装置毎に所定の音量または音質に設定することができるので、各家庭や個別の建物内ではやさしい無線通信システムが実現できる。また、屋外に設置されているトランペットスピーカの音量または音質を調節してほしいとの要望もある。例えば、病院の近くあるいは環境の静かな住宅地では、比較的音量を小さく、しかし、騒音の大きいところでは、比較的音量を大きくする等の要望があるが、親局装置からの制御信号で容易に音量または音質の調節が可能となり、環境にやさしい市町村防災無線システムを実現できる特徴がある。
【発明を実施するための最良の形態】
【００１８】
本発明に係る一実施例を図１を用いて説明する。本実施例では、市町村防災無線システムにおいて、災害時などに行政機関などから住民へ災害関連情報等を告知する同報無線システムや、このような無線通信システムの通信機器や通信方法に、本発明を適用した場合を示す。また、本実施例では、市町村デジタル同報通信システムに本発明を適用した場合を示すが、これに限定されるものではなく、固定系デジタル無線システム等の無線通信システムに適応できることは言うまでもない。
【００１９】
なお、無線通信システムは、例えば、デジタル無線系のみから構成されてもよく、或いは、デジタル無線系とアナログ無線系との両方が混在するように構成されてもよい。ここで、アナログ無線系は、デジタル無線系と同様なシステムとして構成することが可能である。
【００２０】
図１は、例えば、市町村防災無線システムを示している。この市町村防災無線システムは、親局装置（または統制局）１０１、複数の子局装置（または端末装置）１０２−１、・・・１０２−ｌ、１０２−ｍ、・・・１０２−ｎおよび少なくとも1個の中継局１０３で構成されている。なお、子局装置を総称する場合は、子局装置１０２と称する。親局装置１０１は、操作や指令を行うための指令台１０４、制御装置１０５、無線により信号を送信や受信する親局無線装置１０６および送受信アンテナ１０７で構成されている。
【００２１】
子局装置１０２は、親局装置１０１或いは中継局１０３との間で無線通信を行うアンテナ１０８、子局無線装置１０９および電話機（または拡声器）１１０で構成されている。そして、一部の子局装置１０２−ｍ、・・・１０２−ｎは、中継局１０３を介して親局装置１０１と無線通信するように設定されており、他の子局装置１０２−１、・・・１０２−ｌは、中継局１０３を介さずに親局装置１０１と直接的に無線通信するように設定されている。
【００２２】
中継局１０３は、例えば、２架構成であり、具体的には、親局装置１０１との間で無線通信を行う装置（対親局装置）と、子局装置１０２との間で無線通信を行う装置（対子局装置）とを接続して構成されている。
【００２３】
図２は、親局装置１０１と子局装置１０２とが送受信を行う場合のデータフォーマットの一実施例を示している。図２に示すデータフォーマットは、具体的には、バースト過渡応答ランプ時間「Ｒ」、同期ワード「ＳＷ」、チャネル種別「Ｃ」、トラフィックチャネル「ＴＣＨ」、高速付随チャネル（通話、通報情報）「ＦＡＣＣＨ」、重要度情報「Ｊ」、ガード時間「Ｇ」、パイロットシンボル「Ｐ」とから構成され、バースト信号として送受信される。そして、通話や通報としての情報（データ）の内容は、高速付随チャネル「ＦＡＣＣＨ」を用いて伝送されるが、本発明で使用する音量可変情報「J」は、この高速付随チャネル「ＦＡＣＣＨ」に組み込まれて伝送される。なお、図中の数値はシンボル数の一例を示している。
【００２４】
図３は、本発明の子局装置１０２の概略構成を示すブロック図である。図３において、３０１は、入力端子、３０２は、制御部、３０３は、記憶部、３０４は、個別受信機用スピーカを示している。ここで、制御部３０２および記憶部３０３は、図１に示す子局無線装置１０９の一部を構成し、入力端子３０１には、親局装置からの音声信号および制御信号が入力される。また、図１に示す電話機（または拡声器）１１０は、本実施例では個別受信機用スピーカ３０４である場合を示している。なお、記憶部３０３には、表１で示す音量を定めるテーブルが記憶されている。
【００２５】
【表１】
2006157488.tif 000003
【００２６】
表１は、グループとそれに対応する音量を定めたテーブルを示し、このテーブルが前もって記憶部３０３に記憶されている。例えば、グループ１は、音量Ｂ（例えば、中程度の音量）、グループ２は、音量Ｃ（例えば、比較的小さい音量）、グループｎは、音量Ａ（比較的大きい音量）と言うように定めたテーブルである。そして、例えば、病院のような比較的静かな場所の拡声器には、グループ２を割付け、交通量の多い場所等、比較的騒がしい場所では、グループｎを割付けるというものである。
【００２７】
次に、本発明の動作について、図４を用いて説明する。例えば、親局装置１０１の指令台１０４から緊急情報などの電文が制御装置１０５、親局無線装置１０７、アンテナ１０７を介して子局装置１０２に送信され、子局装置１０２は、中継局１０３を介して、あるいは直接これを受信する。即ち、
ステップ４０１では、司令台１０４が緊急情報の音量テーブルを参照し、音量情報選択をする。即ち、親局装置１０１は、例えば、制御装置１０５の記憶装置（図示せず。）に表１に示すようなグループ毎に音量を定めたテーブルを記憶している。そして、操作者がどの子局装置にどのような音量の緊急情報を送信するかを司令台１０４の表示部（図示せず。）に表示させ、これによって操作者は、所望の音量の緊急情報を選択する。例えば、子局装置１０２−１が病院のような比較的静かな場所に位置する個別受信機用スピーカ３０４には、表１のグループ２を選択する。
【００２８】
ステップ４０２では、司令台１０４から送られた音量選択情報グループ２を制御装置１０５で受けると、制御装置１０５では、緊急情報と、これに音量選択情報を付加し、図２で示す通信に適合したデータフォーマットに変換する。即ち、図２で説明したように高速付随チャネル「ＦＡＣＣＨ」を用いて緊急の電文を伝送するが、この高速付随チャネル「ＦＡＣＣＨ」に、音量選択情報グループ２を音量可変情報「J」として組み込み、子局装置１０２に送信する。
【００２９】
ステップ４０３では、親局装置１０１から送られたデータフォーマットから必要な電文と音量可変情報を抽出する。
【００３０】
ステップ４０４では、ステップ４０３で抽出された音量可変情報、例えば、グループ２に対応する音量を記憶部３０３に記憶されている表１記載の音量テーブルを参照し、例えば、音量可変情報のグループ２に対応する音量Ｃを読込む。
【００３１】
ステップ４０５では、読込まれた音量Ｃに相当する情報に基づき個別受信機用スピーカ３０４を制御し、音量Ｃに相当する音声で個別受信機用スピーカ３０４を鳴動させる。なお、個別受信機用スピーカ３０４の音量の制御は、個別受信機用スピーカ３０４に供給される音声信号の増幅器の利得を制御することで実現できる。このようにすると親局装置１０１の司令台１０４で選択した音量で子局装置の個別受信機用スピーカ３０４を鳴動させることができるので、個別受信機用スピーカ３０４の設置されている家庭環境、建物、周囲の状況に応じて音量を調節できるので、地域にやさしい市町村防災無線システムを実現することができる。このような動作により、緊急通報の場合、電文に音量選択情報を付加して送信し、これを受信した子局装置では、個別受信機用スピーカの鳴動音の音量を可変して出力することができる。なお、表１に示す音量テーブルは、種々の場合が考えられる。例えば、音量選択情報のグループは、個別受信機用スピーカ１台ずつに設定することも、また、地域毎にグループ化することもできる。また、設定する音量も前もって実験的に測定し、適宜設定することができる。また、表１では、音量についてのテーブルであるが、音質についても同様に実施できることは言うまでもない。
【００３２】
ステップ４０７では、緊急情報を受信し、これを確認したことを示す返信情報を親局装置１０１に送信し（ステップ４０８）、親局装置１０１の表示装置にこの確認の表示をする（ステップ４０９）ことで緊急通信の確認をすることもできる。
【００３３】
なお、中継局１０３を介して子局装置１０２との送受信を行なう場合も上述した図４の動作シーケンスにおいて親局装置１０１から中継局１０３を介して子局装置１０２に送受信が行われるのみで、動作シーケンスはほぼ同様である。
【００３４】
次に、本発明の他の一実施例について説明する。先に説明した本発明の実施例では、親局装置１０１および子局装置１０２の記憶部には、表１に示す音量テーブルが記憶され、司令台１０４の指示で、必要な音量に子局装置１０２の拡声器の音量を設定する実施例について説明した。しかしながら上述のような実施例では、記憶装置３０３に記憶されている音量テーブルは、固定されているので、環境の変化やシステムの変更の場合には、それぞれの子局装置１０２の記憶部に記憶されている音量テーブルを新しいものと取り換える必要があり、多くの子局装置をもつ市町村防災無線システムでは、その工事期間と費用の問題が発生し、改善された無線通信システムが要望されている。そのため本実施例では、司令台１０４の指示で、子局装置１０２の記憶部３０３の音量テーブルの内容を書き換えるように構成するものである。
【００３５】
これについて図３および表２を用いて説明する。本実施例では、図３に示す記憶部３０３は、例えば、書き換え可能なＲＡＭ（Random Access Memory）、ハードデイスク等で構成され、この書き換え可能な記憶部３０３に例えば、表１に示す音量テーブルが記憶されている。そして、この音量テーブルの内容を書き換える場合について説明する。まず、親局装置１０１の司令台１０４で、音量テーブルの書き換えたい子局装置１０２を指定すると共に変更したい音量を選択する。例えば、子局装置１０２−１を選択し、かつ、子局装置１０２−１の記憶部３０３の音量テーブルのグループ１の音量Ｂを音量Ａに変更する情報を選択し、親局装置１０１の制御部１０５に送る。制御部１０５では、上述した場合と同様にこれらの情報を図２で示すデータフォーマットの高速付随チャネル「ＦＡＣＣＨ」に組み込まれている音量可変情報「J」で、子局装置１０２に送信する。子局装置１０２の制御部３０２では、高速付随チャネル「ＦＡＣＣＨ」を解読し、記憶装置３０３に記憶されている音量テーブルのグループ１を表２のように書き換える。
【００３６】
【表２】
2006157488.tif 000004
【００３７】
表２は、図３に示す記憶部３０３に記憶されている音量テーブルを示すもので、表１に示す音量テーブルと比較すると、ブループ１の音量Ｂが音量Ａに書き換えられている。このように親局装置１０１の司令台１０４から所望の子局装置１０２の記憶部３０３の音量テーブルを書き換えられるので、システムの変更や、環境の変化に即座に対応できるという特徴がある。
【００３８】
次に本発明の更に他の一実施例について図５を用いて説明する。上記実施例では、例えば、個別受信機の音量調節について説明したが、本実施例では、屋外に設置される、例えば、トランペットスピーカについて説明する。図５において、図１と同じものには同じ符号が付されている。司令台１０４は、選択部５０１、主制御部５０２および子局音量設定部５０３で構成されている。また、子局装置１０２は、屋外設置子局５０４、複数の拡声器（例えば、トランペットスピーカ）５０６−１、５０６−２、・・・５０６−ｎおよび音量切替部５０７−１、５０７−２、・・・５０７−ｎで構成されている。なお、複数の拡声器５０６−１、５０６−２、・・・５０６−ｎおよび音量切替部５０７−１、５０７−２、・・・５０７−ｎを総称する場合は、拡声器５０６および音量切替部５０７と称する。屋外設置子局５０４は、図１に示す子局装置１０２に対応するものであるが、特に、屋外に設置されている子局を示している。５０８は、子局無線部、５０９は、制御部、５１０は、音声増幅部、５１１は、音量制御部である。
【００３９】
上記のように構成された無線通信システム、例えば、市町村防災無線システムにおいて、放送を行なう場合には、司令卓１０４を操作して音声信号、データ等を制御部１０５で必要な通信形式、例えば、図２に示すデータフォーマットに変換し、親局無線部１０６からアンテナ１０７を介して子局装置１０２に送信する。子局装置１０２では、親局装置１０１から送られてくる通信情報を子局無線部５０８で受信し、制御部５０９で必要な情報を解読し、音声増幅部５１０から複数の音量切替部５０７を介して複数の拡声器５０６に供給され、地域住民に放送される。
【００４０】
ここで、複数の拡声器５０６の音量の制御について以下に説明する。まず、親局装置１０１で拡声器ＩＤと音量の指定を行う。司令台１０４の主制御部の記憶部（図示せず。）には、例えば、表３に示すようなテーブルが記憶されている。
【００４１】
【表３】
2006157488.tif 000005
【００４２】
表３は、拡声器ＩＤ（または、拡声器Ｎｏ．）と音量の種類の関係を示すテーブルであり、このテーブルが記憶装置に記憶されている。そして、司令台１０４の拡声器選択部５０１を操作することにより拡声器５０６−１、５０６−２、・・・５０６−ｎの１つを適宜選択することができるように構成されている。また、音量設定部５０３は、拡声器選択部５０１で選択された拡声器の音量を、例えば、音量Ａ、Ｂ、Ｃ・・・の中から適宜選択することができるように構成されている。一例を示すと、拡声器選択部５０１で拡声器５０６−１を選択し、続いて音量設定部５０３で、例えば、音量Ａを選択する。このようにすると、拡声器５０６−１の音量は、音量Ａに設定される。同様に、拡声器５０６−２を選択し、音量Ｂを選択すると、拡声器５０６−２は、音量Ｂに設定される。このようにして各拡声器の音量を適宜司令台１０４で設定し、この設定情報を制御装置１０５に供給する。制御装置１０５では、送信すべきデータを図２で示すデータフォーマットに変換し、子局装置１０２に送信する。このとき、司令台１０４で設定された各拡声器の音量の設定情報は、データフォーマットの高速付随チャネル「ＦＡＣＣＨ」に組み込まれている音量可変情報「J」で、子局装置１０２に送信されることは上記実施例と同様である。
【００４３】
子局装置１０２では、親局装置１０１からの情報を受信すると制御部５０９で必要な情報を解読し、拡声器ＩＤとそれに対応する音量情報を音量制御部５１１に供給する。音量制御部５１１は、記憶部（図示せず。）に表３に示すテーブルと同様のテーブルを具えており、親局装置１０１から送られてきた拡声器ＩＤとそれに対応する音量情報を制御部５１１の記憶部に記憶されているテーブルを参照し、その結果に従って音量切替部５０７を制御する。例えば、拡声器５０６−１は、音量Ａに設定される情報が受信されるので、音量制御部５１１は、拡声器５０６−１の音量切替部５０７−１を制御して音量Ａに設定する。同様に拡声器５０６−２の音量切替部５０７−２を制御して音量Ｂに設定する。このようにして全ての音量切替部５０７の音量を設定できる。このように構成すると、複数の拡声器５０６の音量を親局装置で容易に変更でき、また、各拡声器５０６毎に適宜設定することが可能となる。
【００４４】
以上のように構成すると子局毎に技術者を派遣して音量を調節する必要がなく、親局装置で適宜各拡声器の音量を設定できるので、音量調節が極めて容易となり、地域住民の音量変更の要望にも迅速に対応できるため、地域にやさしい無線通信システムを実現できると言う特徴がある。また、地域毎に緊急性の異なる通報を行なう場合にも地域毎に音量や音質を変えて通報できると言う特徴もある。
【００４５】
ここで、本発明に係る無線通信システムや親局装置や子局装置や中継局装置などの構成としては、必ずしも以上に示したものに限られず、種々な構成が用いられてもよい。
【００４６】
以上、本発明について詳細に説明したが、本発明は、ここに記載された無線通信システムに限定されるものではなく、上記以外の無線通信システムに広く適応することが出来ることは、言うまでも無い。
【図面の簡単な説明】
【００４７】
【図１】本発明の一実施例の概略構成を示すブロック図である。
【図２】本発明で使用するデータフォーマットの一例を示す図である。
【図３】本発明の子局装置の具体的構成を示すブロック図である。
【図４】本発明の動作シーケンスを示す図である。
【図５】本発明の他の一実施例の概略構成を示すブロック図である。
【符号の説明】
【００４８】
１０１：親局装置、１０２：子局装置、１０３：中継局、１０４：指令台、１０５：制御装置、１０６：親局無線装置、１０７、１０８：送受信アンテナ、１０９：子局無線装置、１１０：電話機、３０１：入力端子、３０２：制御部、３０３：記憶部、３０４：個別受信機用スピーカ、５０１：選択部、５０２：主制御部、５０３：音量設定部、５０４：屋外設置子局、５０６：拡声器、５０７：音量切替部、５０８：子局無線部、５０９：制御部、５１０：音声増幅部、５１１：音量制御部。
【図１】
2006157488.tif 000006
【図２】
2006157488.tif 000007
【図３】
2006157488.tif 000008
【図４】
2006157488.tif 000009
【図５】
2006157488.tif 000010